(57)【要約】【課題】  垂直布設における曲げ部などにおいて、熱伸縮などによって電気ケーブルが損傷するのを防止することができるケーブル支持具を提供する。【解決手段】  電気ケーブルＣを把持するクリート２と、Ｃ型チャネルＡに取り付けられる取付具３と、この取付具３とクリート２とを連結する連結具４とを備える。電気ケーブルＣの被把持部における心線方向Ｄ１と直交する方向Ｄ３を軸線とする揺動軸３１ａを取付具３に設け、この揺動軸３１ａを支持する軸受部４ｄを連結具４に設け、揺動軸３１ａを中心にして連結具４を揺動自在にする。この連結具４の揺動に伴ってクリート２が揺動可能となり、電気ケーブルＣの伸縮に応じてクリート２が揺動する。【選択図】  図１
2006166547.tif 000002
【特許請求の範囲】
【請求項１】
電気ケーブルや通信ケーブルなどの絶縁被覆ケーブルを布設線路に沿って支持するケーブル支持具であって、
前記絶縁被覆ケーブルを把持する把持部と、壁などの被布設物に取り付けられる取付部とを有し、前記絶縁被覆ケーブルの被把持部における心線方向と直交する方向を揺動軸にして前記把持部が揺動自在に前記取付部に連結されている、
ことを特徴とするケーブル支持具。
【請求項２】
前記把持部が、前記絶縁被覆ケーブルの被把持部における心線方向と前記揺動軸とに直交する方向にスライド自在に前記取付部に連結されている、
ことを特徴とする請求項１に記載のケーブル支持具。
【請求項３】
電気ケーブルや通信ケーブルなどの絶縁被覆ケーブルを布設線路に沿って支持するケーブル支持具であって、
前記絶縁被覆ケーブルを把持する把持部と、壁などの被布設物に取り付けられる取付部と、この取付部と前記把持部とを連結する連結部とを有し、前記絶縁被覆ケーブルの被把持部における心線方向と直交する方向を軸線とする揺動軸が、前記取付部または前記連結部の一方に設けられ、他方にこの揺動軸を支持する軸受部が設けられ、前記揺動軸を中心にして前記連結部が揺動自在に前記取付部に連結されている、
ことを特徴とするケーブル支持具。
【請求項４】
前記軸受部が、前記絶縁被覆ケーブルの被把持部における心線方向と前記揺動軸とに直交する方向に延びるスリット状であり、この軸受部に前記揺動軸が相対スライド自在に支持されている、
ことを特徴とする請求項３に記載のケーブル支持具。
【請求項５】
電気ケーブルや通信ケーブルなどの絶縁被覆ケーブルを把持する把持部と台座部とを有するケーブル支持具を、壁などの被布設物に取り付けるためのケーブル支持具用アダプターであって、
前記被布設物に取り付けられる取付部と、この取付部と前記ケーブル支持具とを連結する連結部とを有し、前記ケーブル支持具の台座部が取り付けられる台座取付部が前記連結部に設けられ、前記取付部と前記ケーブル支持具とを連結した際に前記絶縁被覆ケーブルの被把持部における心線方向と直交する方向を軸線とする揺動軸が、前記取付部または前記連結部の一方に設けられ、他方にこの揺動軸を支持する軸受部が設けられ、前記揺動軸を中心にして前記連結部が揺動自在に前記取付部に連結されている、
ことを特徴とするケーブル支持具用アダプター。
【請求項６】
前記軸受部が、前記絶縁被覆ケーブルの被把持部における心線方向と前記揺動軸とに直交する方向に延びるスリット状であり、この軸受部に前記揺動軸が相対スライド自在に支持されている、
ことを特徴とする請求項５に記載のケーブル支持具用アダプター。
【発明の詳細な説明】
【技術分野】
【０００１】
本発明は、電気ケーブルや通信ケーブルなど、心材が絶縁材で被覆されている絶縁被覆ケーブルを布設線路に沿って支持するケーブル支持具に関し、特に、垂直布設における曲げ部などにおいて、熱伸縮や自重によるケーブルへの損傷を防止することができるケーブル支持具に関する。
【背景技術】
【０００２】
電気ケーブルや通信ケーブルなどの絶縁被覆ケーブルを布設経路に沿って支持する場合、クリートと呼ばれるケーブル支持具が用いられることがある。このクリートは、ケーブルを把持する円筒状の把持部と、Ｃ型チャネル（断面がＣ字状の溝型鋼）や壁などの被布設物に取り付けるための台座部とを有している。また、把持部の円筒軸方向と台座部の取付面とは平行しており、把持部と台座部との位置関係は固定されている（把持部が台座部に対して動かない）。そして、このようなクリートを布設線路に沿って配設し、クリートの把持部でケーブルを把持して、ケーブルを布設経路に沿って支持するものである。一方、電気ケーブルなどは、通電時のジュール熱や外気温度の変化などによって熱伸縮を生じる。特に、大電流が流れる電力ケーブルでは、熱伸縮が大きい。このため、ケーブルが熱伸縮してケーブル径が変化しても把持力が一定内に維持される構造のクリートや、ケーブルの被把持部における心線方向（クリートの把持部の円筒軸方向）と直交する方向にクリートがスライドするものもある（例えば、特許文献１参照。）。
【特許文献１】特開２０００−３１６２２８号公報
【発明の開示】
【発明が解決しようとする課題】
【０００３】
ところで、鉄塔の立上部や洞道内の立坑部などにおいては、絶縁被覆ケーブルをほぼ垂直に布設し、布設経路に応じてケーブルを曲げなければならない場合がある。例えば、下から上に垂直にケーブルを布設し、上部でケーブルを横に曲げる（寝かせる）場合がある。このような場合、曲げ部には曲げ支点（変曲点）としてケーブル支持具が配設されるが、上記のようなケーブル支持具（クリート）では、ケーブルの自重や通電による熱伸縮の繰り返しによって、ケーブルに損傷を与えるおそれがある。すなわち、熱伸縮が生じると、ケーブルの曲げ部は、ケーブル支持具を支点として起き上がる方向、または、寝る方向に伸縮（揺動）しようとする。しかしながら、上記のようなケーブル支持具では、このようなケーブルの伸縮に応じて把持部が揺動できないために、ケーブルの伸縮がケーブル支持具によって拘束され、ケーブルとケーブル支持具とに応力が生じ、さらにはこの応力による変形が生じる場合がある。そして、この応力や変形によって、ケーブル支持具（把持部）の把持力（面圧）が一定とならなくなり、電気ケーブルなどの絶縁層の異常な変形や、銅テープ遮蔽層のしわなどが生じて、絶縁破壊などの損傷を招くおそれがある。また、このような損傷は、垂直布設での曲げ部におけるケーブルの自重によっても生じるおそれがある。
【０００４】
そこで本発明は、垂直布設における曲げ部などにおいて、熱伸縮や自重による絶縁被覆ケーブルへの損傷を防止することができるケーブル支持具を提供することを目的とする。
【課題を解決するための手段】
【０００５】
上記目的を達成するために請求項１に記載の発明は、電気ケーブルや通信ケーブルなどの絶縁被覆ケーブルを布設線路に沿って支持するケーブル支持具であって、絶縁被覆ケーブルを把持する把持部と、壁などの被布設物に取り付けられる取付部とを有し、絶縁被覆ケーブルの被把持部における心線方向と直交する方向を揺動軸にして把持部が揺動自在に取付部に連結されていることを特徴としている。
（作用）
把持部が揺動自在であるため、絶縁被覆ケーブルの曲げ部が熱伸縮しても、把持部が熱伸縮に応じて揺動し、ケーブルが自由に伸縮できる。例えば、下から上に垂直にケーブルを布設し、上部でケーブルを横に曲げる場合、曲げ方向と直交する方向に揺動軸を位置させて本ケーブル支持具を配設し、把持部でケーブルを把持する。この状態で熱伸縮が生じると、ケーブルの曲げ部は、本ケーブル支持具（把持部）を支点として起き上がる方向、または、寝る方向に伸縮（揺動）しようとする。このとき、把持部は揺動軸を中心にして揺動（回転）する方向、すなわち、ケーブルが揺動しようとする方向と同じ方向に揺動する。この結果、ケーブルは本ケーブル支持具（把持部）によって拘束されることなく伸縮することができる。
【０００６】
また、上記のように垂直布設における曲げ部に本ケーブル支持具を配設した場合、ケーブルの自重によって、ケーブルの曲げ方向のモーメントが本ケーブル支持具に加わる。これに対し、上記熱伸縮の場合と同様に、把持部がケーブルの曲げ方向と同じ方向に揺動するため、ケーブルは本ケーブル支持具（把持部）によって拘束されることなく、自重による変形が可能となる。
【０００７】
請求項２に記載の発明は、把持部が、絶縁被覆ケーブルの被把持部における心線方向と揺動軸とに直交する方向にスライド自在に取付部に連結されていることを特徴としている。
（作用）
把持部がスライド自在であるため、絶縁被覆ケーブルの伸縮自由度がさらに高くなる。例えば、上記のように垂直布設における曲げ部に本ケーブル支持具を配設した場合、ケーブルの被把持部における心線方向と揺動軸とに直交する方向、すなわち、曲げ部の曲率半径方向に把持部がスライド自在となる。このため、熱伸縮が生じてケーブルが曲率半径方向に伸縮しようとした場合に、この伸縮に応じて把持部も曲率半径方向にスライドする。この結果、ケーブルは把持部によって拘束されることなく伸縮することができる。
【０００８】
請求項５に記載の発明は、電気ケーブルや通信ケーブルなどの絶縁被覆ケーブルを把持する把持部と台座部とを有するケーブル支持具を、壁などの被布設物に取り付けるためのケーブル支持具用アダプターであって、被布設物に取り付けられる取付部と、この取付部とケーブル支持具とを連結する連結部とを有し、ケーブル支持具の台座部が取り付けられる台座取付部が連結部に設けられ、取付部とケーブル支持具とを連結した際に絶縁被覆ケーブルの被把持部における心線方向と直交する方向を軸線とする揺動軸が、取付部または連結部の一方に設けられ、他方にこの揺動軸を支持する軸受部が設けられ、揺動軸を中心にして連結部が揺動自在に取付部に連結されていることを特徴としている。
（作用）
把持部が揺動しない既存のケーブル支持具（クリートなど）に本アダプターを取り付けることで、把持部が揺動できるようになる。すなわち、本アダプターの連結部の台座取付部にケーブル支持具の台座部を取り付けるだけで、連結部の揺動に伴ってケーブル支持具（把持部）が揺動できるようになる。これにより、ケーブルの曲げ部で熱伸縮が生じても、ケーブル支持具が熱伸縮に応じて揺動し、ケーブルはケーブル支持具によって拘束されることなく伸縮することができる。
【発明の効果】
【０００９】
本発明によれば、把持部が揺動することによって、絶縁被覆ケーブルの曲げ部においても、ケーブルは拘束されることなく熱伸縮などできる。このため、ケーブルとケーブル支持具（把持部）とにかかる応力および変形が軽減され、把持部の把持力が一定内に維持される。この結果、電気ケーブルなどの絶縁層の異常な変形などが抑制され、絶縁破壊などの損傷を防ぐことができる。
【００１０】
また、把持部が揺動しない既存のケーブル支持具に本アダプターを取り付けることで、ケーブル支持具（把持部）が揺動可能となり、豊富な種類と実績を有する既存のケーブル支持具を、ケーブルの曲げ部にもケーブル損傷を生じさせることなく、使用することができるようになる。
【発明を実施するための最良の形態】
【００１１】
以下、本発明を図示の実施形態に基づいて説明する。
【００１２】
図１は、本発明の実施形態に係るケーブル支持具１をＣ型チャネルＡ（被布設物）に配設し、ケーブル支持具１で電気ケーブルＣを支持した状態を示す側面図である。本実施形態では、市販されている既存のクリート２（ケーブル支持具）にケーブル支持具用アダプター５が取り付けられ、全体としてケーブル支持具１が構成されており、アダプター５は、Ｃ型チャネルＡに取り付けられる取付具３（取付部）と、クリート２と取付具３とを連結する連結具４（連結部）とから構成されている。
【００１３】
クリート２は、本実施形態では、単心用ばね式クリートであり、図２に示すように、概略上体部２１と下体部２２とから構成されている。上体部２１と下体部２２とには、それぞれ中央部に半円筒状の上把持部２１ａと下把持部２２ａとが形成され、上把持部２１ａと下把持部２２ａとを合わせることで、電気ケーブルＣを把持する円筒状の把持部が形成されるようになっている。また、上体部２１には、上把持部２１ａの円周方向の左右に、円筒状のばね収容部２１ｂが形成され、その底部には、ボルト挿入穴２１ｃが設けられている。一方、下体部２２には、下把持部２２ａの円周方向の左右に水平に延びるフランジ部２２ｂが形成され、このフランジ部２２ｂには、ボルト挿入穴２１ｃと同心のボルト挿入穴２２ｃが設けられている。そして、調整ボルト２３にワッシャー２４とコイルばね２５とが取り付けられた状態で、ばね収容部２１ｂに調整ボルト２３が挿入され、ボルト挿入穴２１ｃ、２２ｃを介して、ナット２６、２６（ダブルナット）が締め付けられている。また、下体部２２の下把持部２２ａの下端には、水平に延びる（上把持部２１ａと下把持部２２ａの円筒軸方向に平行な）台座部２２ｄが形成されており、この台座部２２ｄの両端には取付穴２２ｅが設けられている。
【００１４】
このような構成のクリート２では、電気ケーブルＣが通電などによって熱伸縮してケーブル径が変化しても、電気ケーブルＣへの把持力（面圧）が一定内に維持されるようになっている。例えば、熱膨張によって電気ケーブルＣの径が小さくなった場合、コイルばね２５によって上体部２１が下体部２２側に押圧され、上把持部２１ａと下把持部２２ａとの距離が狭まるとともに、コイルばね２５の押圧力によって把持力が一定内に維持されるものである。
【００１５】
取付具３は、図３に示すように、Ｕ字ボルト３１とナット３２、３３とから構成され、Ｕ字ボルト３１は軟鋼製で、湾曲（円弧）の中央部が揺動軸３１ａとなっている。また、後述するように、ナット３２は締め付け用として、また、ナット３３、３３はダブルナット（固定用）として用いられる。
【００１６】
連結具４は、図４に示すように、略Ｔ字形をしており、台座取付部４ａ（基部）の両端には、クリート２の取付穴２２ｅと同心の取付穴４ｂが形成され、この台座取付部４ａにクリート２の台座部２２ｄが取り付けられるようになっている。また、連結部４ｃ（垂直部）には、後述するように揺動軸３１ａを支持するスリット状（長孔状）の軸受部４ｄが形成されており、この軸受部４ｄは垂直方向に延びて、その長孔（長手）方向が台座取付部４ａの取付面と垂直になっている。
【００１７】
次に、このような構成のケーブル支持具１を用いて、電気ケーブルＣを支持する手順の一例について説明する。なお、本実施形態では、建物内や洞道（トンネル、マンホールなど）内で電気ケーブルＣを下から上に垂直に布設し、上部で電気ケーブルＣを曲げて布設する場合について説明する。このような場合、建物内の壁の上部や梁などに配設されたＣ型チャネルＡなどを利用して、以下のように電気ケーブルＣを布設する。
【００１８】
まず、取付具３のＵ字ボルト３１を連結具４の軸受部４ｄに挿入し、Ｕ字ボルト３１の揺動軸３１ａを軸受部４ｄに位置させる。次に、Ｕ字ボルト３１の両端部にナット３２を取り付け、Ｃ型チャネルＡに形成された取付穴（図示せず）にＵ字ボルト３１の両端部を挿入する。そして、図１に示すように、ナット３３、３３をダブルナットとして固定させ、ナット３２を締め付けることで、取付具３がＣ型チャネルＡに取り付けられる（固定される）。この取付状態で連結具４が、取付具３の揺動軸３１ａを中心にして揺動（回転）自在となり、かつ、軸受部４ｄの長孔方向にスライド自在となる。また、この揺動軸３１ａが円弧状になっているために、連結具４の連結部４ｃ（軸受部４ｄ）が常にこの円弧の頂点（Ｕ字ボルト３１の中心）側に向かい、連結具４が横ずれすることなく、安定して揺動、スライドする。
【００１９】
ところで、電気ケーブルＣを布設する場合、予め布設線路が設計されており、本実施形態のように上部で電気ケーブルＣを曲げて布設する場合、その曲げ方向も予め決められている。このため、この曲げ方向と揺動軸３１ａの軸方向Ｄ３とが直交するようにＵ字ボルト３１を位置させて、上記の手順で取付具３をＣ型チャネルＡに取り付ける。
【００２０】
続いて、連結具４の台座取付部４ａにクリート２の台座部２２ｄを合わせ、取付穴４ｂ、２２ｅにボルト６を挿入して、ナット７で締め付ける。これにより、クリート２と取付具３とが連結具４によって連結される。そして、この連結状態では、クリート２の把持部（上把持部２１ａと下把持部２２ａとが合わさった部分）の円筒軸方向Ｄ１と、連結具４の軸受部４ｄの長孔方向Ｄ２と、取付具３の揺動軸３１ａの軸方向Ｄ３とは、常にそれぞれ直交した状態となる。なお、この手順では、Ｃ型チャネルＡに取付具３を取り付けた後に、クリート２を連結具４に取り付けているが、連結具４にクリート２（下体部２２のみでもよい）を取り付けた後に、取付具３をＣ型チャネルＡに取り付けるようにしてもよい。
【００２１】
次に、下から上に布設してきた電気ケーブルＣをクリート２で把持する。すなわち、上体部２１を下体部２２から外し（予め、下体部２２のみを連結具４に取り付けてもよい）、下体部２２の下把持部２２ａに電気ケーブルＣを当てて、その上から上体部２１を被せる。そして、調整ボルト２３とナット２６、２６とによって上体部２１と下体部２２とを締結して、電気ケーブルＣを把持する。このとき、図２に示すように、ワッシャー２４がばね収容部２１ｂの上端面と一致する（面一になる）ように、調整ボルト２３とナット２６、２６とを調整する。これにより、ケーブル径が変化しても、上記のように、電気ケーブルＣへの把持力が一定内に維持される効果が得られるものである。このケーブル把持状態では、電気ケーブルＣが把持されている部分（被把持部）における心線方向と、クリート２の把持部の円筒軸方向Ｄ１とは常に一致する。すなわち、電気ケーブルＣの被把持部における心線方向Ｄ１と、軸受部４ｄの長孔方向Ｄ２と、揺動軸３１ａの軸方向Ｄ３とは、常にそれぞれ直交した状態となる。
【００２２】
以上の手順により、電気ケーブルＣはケーブル支持具１に支持され、Ｃ型チャネルＡに吊るされた状態となる。そしてこの状態で、電気ケーブルＣの上部を所定の方向に曲げて布設を行ってゆけばよい。ここでは、図１の実線で示すように、電気ケーブルＣを曲げるとする。そして、このように曲げた状態でも、方向Ｄ１，Ｄ２，Ｄ３はそれぞれ直交しており、かつ、電気ケーブルＣの曲げ方向と揺動軸３１ａの軸方向Ｄ３とは直交している（上記のように、曲げ方向と軸方向Ｄ３とが直交するように、取付具３が取り付けられている。）。
【００２３】
以上のような布設作業は、電気ケーブルＣに通電させていない状態で行われるが、布設作業終了後に通電させると、ジュール熱によって電気ケーブルＣが熱伸縮しようとする。例えば、上記のように電気ケーブルＣを布設した場合、電気ケーブルＣは図１の二点破線で示すような方向、すなわち、クリート２を支点として垂直（曲げ方向）に起き上がる方向（図示）、または、寝る方向に伸縮（揺動）しようとする。このとき、クリート２は揺動軸３１ａを中心にして揺動（回転）する方向、すなわち、電気ケーブルＣが揺動しようとする方向と同じ方向に揺動する。この結果、電気ケーブルＣはクリート２によって拘束されることなく、自由に伸縮（変形）することができる。
【００２４】
しかも、クリート２がスライド自在であるため、電気ケーブルＣの伸縮自由度がさらに高くなり、電気ケーブルＣは拘束されることなく伸縮できる。すなわち、電気ケーブルＣが図１の二点破線で示すような方向に伸縮する場合、曲げ方向（曲率半径方向）、すなわち、揺動軸３１ａと直交する方向に電気ケーブルＣの被把持部が移動（伸縮）しようとるすが、その方向は軸受部４ｄの長孔方向Ｄ２と一致するため、クリート２が揺動軸３１ａを介して長孔方向Ｄ２にスライドする。この結果、電気ケーブルＣはクリート２によって拘束されることなく、さらに自由に伸縮（変形）することができる。
【００２５】
このように、電気ケーブルＣの曲げ部においても、電気ケーブルＣはクリート２に拘束されることなく自由な熱伸縮ができる。このため、電気ケーブルＣとクリート２とにかかる応力および変形が軽減され、クリート２の把持力が一定内に維持される。この結果、電気ケーブルＣの絶縁層の異常な変形や、銅テープ遮蔽層でのしわの発生などが抑制され、絶縁破壊などのケーブル損傷を防ぐことができる。
【００２６】
また、上記のような垂直布設の場合、電気ケーブルＣの自重によって、電気ケーブルＣは曲げ方向（図１で電気ケーブルＣを寝かせる方向）に曲がろうとし、この曲げ方向のモーメントが本ケーブル支持具１に加わる。しかしながら、上記の熱伸縮の場合と同様に、クリート２が電気ケーブルＣの伸縮（変形）方向に揺動、スライドするため、電気ケーブルＣはクリート２によって拘束されることがない。この結果、自重による絶縁破壊などの損傷を防ぐことができる。
【００２７】
このような効果は、上記のような垂直布設の場合に限らず、水平に電気ケーブルＣを布設して湾曲させる場合（スネーク布設）においても発揮される。すなわち、電気ケーブルＣの曲げ部を本ケーブル支持具１で支持することで、熱伸縮などによる電気ケーブルＣの絶縁破壊などを防ぐことができる。また、電気ケーブルＣに限らず、通信ケーブルなどその他の絶縁被覆ケーブルを布設する場合にも、本ケーブル支持具１で支持することで、ケーブルの損傷を防止することができる。
【００２８】
ところで、本実施形態では、把持部が揺動しない既存のクリート２にケーブル支持具用アダプター５を取り付け、全体としてケーブル支持具１を構成している。このように、既存のクリート２にアダプター５を取り付けることで、クリート２（把持部）が揺動するケーブル支持具１にすることができる。このため、豊富な種類と実績を有する既存のクリート（ケーブル支持具）を、電気ケーブルＣの曲げ部にもケーブル損傷を生じさせることなく使用することができる。例えば、本実施形態では、単心用ばね式クリートを用いているが、布設条件、布設線路などに応じて、３条用拘束型中間クリート（３つの電気ケーブルＣを束ねて把持するクリート）や３条一括型ばね式クリート（３条用拘束型にコイルばねを備えたクリート）などにアダプター５を取り付け、これらのクリートが揺動するケーブル支持具に構成することもできる。
【００２９】
もちろん、このような既存のクリートを用いずに把持部を構成してもよく、電気ケーブルＣを把持できる構造であれば、どのようなものでもよい。例えば、図５に示すように、略Ｕ字形の把持具５１であってもよい。この場合、把持具５１の把持部５１ａに電気ケーブルＣを装着させた状態で、台座部５１ｂを連結具４の台座取付部４ａに合わせ、取付穴５１ｃ、４ｂにボルト（図示せず）を挿入してナット（図示せず）で締め付けるものである。
【００３０】
また、本実施形態では、取付具３に揺動軸３１ａを設け、連結具４に軸受部４ｄを設けているが、取付具３に軸受部を設け、連結具４に揺動軸を設けてもよい。例えば、図６に示すような取付具６１と連結具７１とにしてもよい。すなわち、取付具６１を上記の連結具４のように略Ｔ字形とし、連結部６１ａ（垂直部）に軸受部６１ｂを形成して、取付部６１ｃをボルト、ナットなどによってＣ型チャネルＡに取り付ける。一方、連結具７１を上記の取付具３のようにＵ字ボルト７２で構成し、Ｕ字ボルト７２の開口ピッチ（両端部の距離）をクリート２の取付穴２２ｅのピッチに合わせる。そして、Ｕ字ボルト７２の揺動軸７２ａを取付具６１の軸受部６１ｂに挿入し、Ｕ字ボルト７２の両端部をクリート２の取付穴２２ｅに挿入して、ダブルナット７３、７３とナット７４とで締め付けるものである。
【００３１】
さらに、本実施形態では、Ｃ型チャネルＡを被布設物としているために、取付具３にＵ字ボルト３１を用いているが、被布設物がＬ型アングル材やフラットバー（平たい棒材）などの場合には、直角クレビスボルト（略Ｌ字形で、先端に雄ネジ部が形成された棒材）を用いてもよい。
【００３２】
ところで、本実施形態では、連結部（連結具４）を介して把持部（クリート２）が揺動するようにしているが、連結部を介さずに、取付部に対して把持部が直接揺動するようにしてもよい。例えば、図７に示すようなケーブル支持具８であってもよい。このケーブル支持具８は、上記のクリート２とほぼ同じ構成であるが、下体部８２が取付部８３に対して揺動（回転）自在である点で、クリート２と構成が異なる。すなわち、下体部８２の下把持部８２ａの下端部と取付部８３とに、それぞれ軸受部８２ｂ、８３ａが形成され、この軸受部８２ｂ、８３ａに、把持部（上体部８１の上把持部８１ａと下体部８２の下把持部８２ａ）の円筒軸方向と直交する揺動軸８４が挿入されている。そして、この揺動軸８４を中心にして下体部８２が揺動することで、把持部が取付部８３に対して揺動するものである。
【図面の簡単な説明】
【００３３】
【図１】本発明の実施形態に係るケーブル支持具よって電気ケーブルを支持した状態を示す側面図。
【図２】本発明の実施形態に係るケーブル支持具における把持部（クリート）の正面図（一部断面図）。
【図３】本発明の実施形態に係るケーブル支持具における取付部（取付具）の正面図。
【図４】本発明の実施形態に係るケーブル支持具における連結部（連結具）の正面図（ａ）と側面図（ｂ）。
【図５】本発明の実施形態に係るケーブル支持具における他の把持部（把持具）を示す正面図。
【図６】本発明の実施形態に係るケーブル支持具における他の取付部（取付具）および連結部（連結具）を示す正面図。
【図７】本発明の他のケーブル支持具を示す正面図。
【符号の説明】
【００３４】
１          ケーブル支持具
２          クリート（把持部）
２１ａ      上把持部
２２ａ      下把持部
２２ｄ      台座部
３          取付具（取付部）
３１ａ      揺動軸
４          連結具（連結部）
４ａ        台座取付部
４ｄ        軸受部
５          ケーブル支持具用アダプター
Ａ          Ｃ型チャネル（被布設物）
Ｃ          電気ケーブル（絶縁被覆ケーブル）
Ｄ１        電気ケーブルの被把持部における心線方向
Ｄ２        軸受部の長孔方向
Ｄ３        揺動軸の軸方向
【図１】
2006166547.tif 000003
【図２】
2006166547.tif 000004
【図３】
2006166547.tif 000005
【図４】
2006166547.tif 000006
【図５】
2006166547.tif 000007
【図６】
2006166547.tif 000008
【図７】
2006166547.tif 000009